(57)【要約】【課題】電子ペーパに書かれた画像のデータの使用の利便性を従来よりも向上させる。【解決手段】画像形成装置１は、電子ペーパ３に電気的に表示された画像である表示画像の状況を示す表示状況データを取得し、表示画像を表示するのを電子ペーパ３に終了させ、表示終了後に電子ペーパ３を読み取ることによって、電子ペーパ３に書かれた画像である書込画像を取得し、表示画像と表示状況データと書込画像データとを対応付けて書類管理サーバ２に記憶させる。【選択図】図１
2011066859.tif 000002
【特許請求の範囲】
【請求項１】
電子ペーパと通信を行う機能を有する画像処理装置であって、
前記電子ペーパに電気的に表示された画像である表示画像の状況を示す表示状況データを前記電子ペーパから取得する表示状況データ取得手段と、
前記表示画像を表示するのを終了するように要求するコマンドを前記電子ペーパに対して送信する、表示終了制御手段と、
前記表示画像が表示されなくなった後に前記電子ペーパを読み取ることによって、前記電子ペーパに書かれた画像である書込画像の画像データである書込画像データを取得する、書込画像データ取得手段と、
前記表示画像の画像データである表示画像データと、前記表示状況データ取得手段によって取得された前記表示状況データと、前記書込画像データ取得手段によって取得された前記書込画像データとを対応付けて記憶手段に記憶させる、記憶制御手段と、
を有することを特徴とする画像処理装置。
【請求項２】
前記表示画像データ、前記書込画像データ、および前記表示状況データに基づいて、前記表示画像に前記書込画像を重ね合わせた画像である合成画像を生成する、合成画像生成手段、を有する、
請求項１記載の画像処理装置。
【請求項３】
前記表示状況データ取得手段は、前記表示状況データとして、前記電子ペーパに表示された前記表示画像の部分を示すデータを取得し、
前記合成画像生成手段は、前記書込画像を、前記表示画像のうちの、前記表示状況データに示される前記部分に重ね合わせることによって、前記合成画像を生成する、
請求項２記載の画像処理装置。
【請求項４】
前記表示状況データ取得手段は、前記表示状況データとして、前記電子ペーパに表示された前記表示画像の拡大率を示すデータを取得し、
前記合成画像生成手段は、前記書込画像を、前記拡大率の逆数倍にサイズを調整して前記表示画像に重ね合わせることによって、前記合成画像を生成する、
請求項２または請求項３記載の画像データ管理方法。
【請求項５】
前記電子ペーパには、前記書込画像として互いに異なる画像が互いに異なる時期に書かれ、
前記書込画像データ取得手段は、前記時期ごとの前記書込画像の前記書込画像データを取得を取得し、
前記記憶制御手段は、前記時期ごとの前記書込画像の前記書込画像データを前記記憶手段に記憶させ、
前記合成画像生成手段は、少なくとも１つの前記書込画像を前記表示画像に重ね合わせることによって前記合成画像を生成する、
請求項２ないし請求項４のいずれかに記載の画像処理装置。
【請求項６】
前記書込画像はそれぞれ、前記表示画像のうちの互いに異なる部分が前記電子ペーパに表示されている際に書かれたものであって、
前記表示状況データ取得手段は、前記書込画像が書かれた際に前記電子ペーパに表示されていた前記表示画像ごとの前記表示状況データを取得し、
前記表示終了制御手段は、前記書込画像が書かれるごとに前記コマンドを送信する、
請求項５記載の画像処理装置。
【請求項７】
前記合成画像生成手段は、特定のグループに属するユーザによって書かれた前記書込画像を前記表示画像に重ね合わせることによって前記合成画像を生成する、
請求項５または請求項６記載の画像処理装置。
【請求項８】
電子ペーパに電気的に表示された画像である表示画像の状況を示す表示状況データを取得する第一のステップと、
前記表示画像を表示するのを前記電子ペーパに終了させる第二のステップと、
前記第二のステップの後に前記電子ペーパを読み取ることによって、前記電子ペーパに書かれた画像である書込画像の画像データである書込画像データを取得する第三のステップと、
前記表示画像の画像データである表示画像データと前記第一のステップで取得した前記表示状況データと前記第三のステップで取得した前記書込画像データとを対応付けて記憶手段に記憶させる第四のステップと、
を有することを特徴とする画像データ管理方法。
【請求項９】
電子ペーパと通信を行う機能を有する画像処理装置に用いられるコンピュータプログラムであって、
前記画像処理装置に、
電子ペーパに電気的に表示された画像である表示画像の状況を示す表示状況データを取得する第一の処理と、
前記表示画像を表示するのを前記電子ペーパに終了させる第二の処理と、
前記第二の処理の後に前記電子ペーパを読み取ることによって、前記電子ペーパに書かれた画像である書込画像の画像データである書込画像データを取得する第三の処理と、
前記表示画像の画像データである表示画像データと前記第一の処理で取得した前記表示状況データと前記第三の処理で取得した前記書込画像データとを対応付けて記憶手段に記憶させる第四の処理と、
を実行させることを特徴とするコンピュータプログラム。
【発明の詳細な説明】
【技術分野】
【０００１】
本発明は、電子ペーパに書かれた画像のデータを管理する方法およびシステムなどに関する。
【背景技術】
【０００２】
近年、コピー、ＰＣプリント、スキャン、ファックス、およびファイルサーバなどの様々な機能を備えた画像形成装置が普及している。このような画像形成装置は、「複合機」または「ＭＦＰ（Multi Function Peripherals）」などと呼ばれることもある。
【０００３】
また、近年、電子ペーパが注目されている。電子ペーパに画像を表示する方式は、マイクロカプセル方式、液晶方式、および電気泳動方式など様々であるが、いずれの方式の電子ペーパも、次のような特長がある。
【０００４】
電子ペーパは、電力がなくても画像を表示し続けることができる。または、ＣＲＴ（Cathode Ray Tube）ディスプレイおよびＬＣＤ（Liquid Crystal Display）などに比べて消費電力が極めて小さい。また、電子ペーパは、紙と同じように反射光を利用して画像を表示するので、ＣＲＴディスプレイおよびＬＣＤに比べて目への負担が小さい。そのほか、紙のように薄くフレキシブルである、という特長を有する。
【０００５】
また、電子ペーパの表示面はガラスまたはフィルムが用いられているので、ユーザは、水性ペンでメモなどを書き込むことができる。
【０００６】
そのほか、電子ペーパに書き込まれたメモやコメントなどの画像を読み取って画像データ化したり用紙に複写したりする技術が、提案されている（特許文献１、２）。
【先行技術文献】
【特許文献】
【０００７】
【特許文献１】特開２００８−１４８０７４号公報
【特許文献２】特開２００８−２７１４６２号公報
【発明の概要】
【発明が解決しようとする課題】
【０００８】
書き込まれた画像は、電子化することによって様々に応用することができる。例えば、通信回線を介して遠地へ瞬時に届けたり、多数の画像をサーバによって省スペースに一元管理したりすることができる。しかし、電子化した画像をもっと様々に使用できると便利である。
【０００９】
本発明は、このような課題に鑑み、電子ペーパに書かれた画像のデータの使用の利便性を従来よりも向上させることを、目的とする。
【課題を解決するための手段】
【００１０】
本発明の一形態に係る画像処理装置は、電子ペーパと通信を行う機能を有する画像処理装置であって、前記電子ペーパに電気的に表示された画像である表示画像の状況を示す表示状況データを前記電子ペーパから取得する表示状況データ取得手段と、前記表示画像を表示するのを終了するように要求するコマンドを前記電子ペーパに対して送信する、表示終了制御手段と、前記表示画像が表示されなくなった後に前記電子ペーパを読み取ることによって、前記電子ペーパに書かれた画像である書込画像の画像データである書込画像データを取得する、書込画像データ取得手段と、前記表示画像の画像データである表示画像データと、前記表示状況データ取得手段によって取得された前記表示状況データと、前記書込画像データ取得手段によって取得された前記書込画像データとを対応付けて記憶手段に記憶させる、記憶制御手段と、を有する。
【００１１】
好ましくは、前記表示画像データ、前記書込画像データ、および前記表示状況データに基づいて、前記表示画像に前記書込画像を重ね合わせた画像である合成画像を生成する、合成画像生成手段、を有する。
【００１２】
または、前記表示状況データ取得手段は、前記表示状況データとして、前記電子ペーパに表示された前記表示画像の部分を示すデータを取得し、前記合成画像生成手段は、前記書込画像を、前記表示画像のうちの、前記表示状況データに示される前記部分に重ね合わせることによって、前記合成画像を生成する。
【００１３】
または、前記表示状況データ取得手段は、前記表示状況データとして、前記電子ペーパに表示された前記表示画像の拡大率を示すデータを取得し、前記合成画像生成手段は、前記書込画像を、前記拡大率の逆数倍にサイズを調整して前記表示画像に重ね合わせることによって、前記合成画像を生成する。
【００１４】
または、前記電子ペーパには、前記書込画像として互いに異なる画像が互いに異なる時期に書かれ、前記書込画像データ取得手段は、前記時期ごとの前記書込画像の前記書込画像データを取得を取得し、前記記憶制御手段は、前記時期ごとの前記書込画像の前記書込画像データを前記記憶手段に記憶させ、前記合成画像生成手段は、少なくとも１つの前記書込画像を前記表示画像に重ね合わせることによって前記合成画像を生成する。
【００１５】
または、前記書込画像はそれぞれ、前記表示画像のうちの互いに異なる部分が前記電子ペーパに表示されている際に書かれたものであって、前記表示状況データ取得手段は、前記書込画像が書かれた際に前記電子ペーパに表示されていた前記表示画像ごとの前記表示状況データを取得し、前記表示終了制御手段は、前記書込画像が書かれるごとに前記コマンドを送信する。
【００１６】
または、前記合成画像生成手段は、特定のグループに属するユーザによって書かれた前記書込画像を前記表示画像に重ね合わせることによって前記合成画像を生成する。
【発明の効果】
【００１７】
本発明によると、電子ペーパに書かれた画像のデータの使用の利便性を従来よりも向上させることができる。
【図面の簡単な説明】
【００１８】
【図１】ネットワークシステムの全体的な構成の例を示す図である。
【図２】画像形成装置のハードウェア構成の例を示す図である。
【図３】画像形成装置の機能的構成の例を示す図である。
【図４】書類管理サーバのハードウェア構成の例を示す図である。
【図５】書類管理サーバの機能的構成の例を示す図である。
【図６】電子ペーパのハードウェア構成の例を示す図である。
【図７】電子ペーパの機能的構成の例を示す図である。
【図８】電子ペーパ表示制御部の構成の例を示す図である。
【図９】電子ペーパ表示処理の流れの例を説明するフローチャートである。
【図１０】オリジナル書類と電子ペーパの表示領域との関係の例を示す図である。
【図１１】電子ペーパスキャン処理部の構成の例を示す図である。
【図１２】追記コンテンツの登録の際の各装置の処理の手順の例を説明するシーケンス図である。
【図１３】追記コンテンツおよび表示条件データの例を示す図である。
【図１４】サーバ書類印刷処理部の構成の例を示す図である。
【図１５】合成画像を印刷する際の各装置の処理の手順の例を説明するシーケンス図である。
【図１６】合成画像の例を示す図である。
【図１７】電子ペーパコピー処理部の構成の例を示す図である。
【図１８】電子ペーパコピー処理の流れの例を説明するフローチャートである。
【図１９】画像形成装置の全体的な処理の流れの例を説明するフローチャートである。
【図２０】画像形成装置の全体的な処理の流れの例を説明するフローチャートである。
【図２１】サーバ書類印刷処理の流れの例を説明するフローチャートである。
【図２２】書類管理サーバの全体的な処理の流れの例を説明するフローチャートである。
【図２３】書類管理サーバの全体的な処理の流れの例を説明するフローチャートである。
【図２４】電子ペーパの全体的な処理の流れの例を説明するフローチャートである。
【図２５】追記コンテンツに関するデータのテーブルの例を示す図である。
【発明を実施するための形態】
【００１９】
図１はネットワークシステムＮＳの全体的な構成の例を示す図、図２は画像形成装置１のハードウェア構成の例を示す図、図３は画像形成装置１の機能的構成の例を示す図、図４は書類管理サーバ２のハードウェア構成の例を示す図、図５は書類管理サーバ２の機能的構成の例を示す図、図６は電子ペーパ３のハードウェア構成の例を示す図、図７は電子ペーパ３の機能的構成の例を示す図である。
【００２０】
図１に示すように、ネットワークシステムＮＳは、画像形成装置１、書類管理サーバ２、電子ペーパ３、および通信回線４などによって構成される。画像形成装置１と書類管理サーバ２とは、通信回線４を介して互いに接続可能である。通信回線４として、公衆回線、専用線、インターネット、またはいわゆるＬＡＮ（Local Area Network）回線などが用いられる。
【００２１】
ネットワークシステムＮＳは、役所または企業などの組織に設けられ、その組織のメンバによって使用される。以下、ある企業Ｘにおいて使用されるネットワークシステムＮＳを例に説明する。企業Ｘの社員を「ユーザ」と記載する。ユーザには、ユニークなユーザＩＤ（identification）が与えられている。
【００２２】
画像形成装置１は、一般に複合機またはＭＦＰ（Multi Function Peripherals）などと呼ばれる画像処理装置であって、コピー、ＰＣプリント（ネットワークプリンティング）、ファックス、およびスキャナなどの機能を集約した装置である。
【００２３】
さらに、画像形成装置１は、電子ペーパ３と通信を行うためのインタフェースを備えており、用紙をスキャンするなどして得た画像を電子ペーパ３に表示させたり、電子ペーパ３からデータを取得したりすることができる。
【００２４】
画像形成装置１は、図２に示すように、ＣＰＵ（Central Processing Unit）１０ａ、ＲＡＭ（Random Access Memory）１０ｂ、ＥＥＰＲＯＭ（Electrically Erasable and Programmable ROM）１０ｃ、ハードディスク１０ｄ、タッチパネル１０ｅ、キー操作部１０ｆ、データ通信制御部１０ｇ、ＦＡＸモデム１０ｈ、ＡＤＦ（Auto Document Feeder）１０ｉ、画像読取部１０ｊ、給紙部１０ｋ、画像形成部１０ｍ、後処理部１０ｎ、無線通信部１０ｐ、ＬＡＮ端子１０ｑ、シリアルインタフェース端子１０ｒなどによって構成される。
【００２５】
タッチパネル１０ｅは、ユーザに対するメッセージを与えるための画面、処理の結果を示す画面、またはユーザが画像形成装置１に対して指示を入力するための画面などを表示する。また、タッチパネル１０ｅは、タッチされた（押された）位置を検知し、ＣＰＵ１０ａにその位置を通知する。
【００２６】
キー操作部１０ｆは、テンキー、スタートキー、およびストップキーなどのキーによって構成され、ユーザが画像形成装置１に対して指令を与えたりデータを入力したりするために用いられる。
【００２７】
データ通信制御部１０ｇは、他の装置と通信を行うための装置である。データ通信制御部１０ｇとして、ＮＩＣ（Network Interface Card）が用いられる。よって、データ通信制御部１０ｇは、通信回線４を介してＴＣＰ／ＩＰ（Transmission Control Protocol/Internet Protocol）によって書類管理サーバ２などと通信を行う。さらに、ＵＳＢ（Universal Serial Bus）の規格に対応した装置（いわゆる、ＵＳＢ機器）と通信を行うために、ＵＳＢ（Universal Serial Bus）インタフェースボードも、データ通信制御部１０ｇとして用いられる。
【００２８】
ＬＡＮ端子１０ｑには、通信回線４の一部分であるツイストペアケーブルが繋がれる。これにより、データ通信制御部１０ｇが書類管理サーバ２と繋がれる。シリアルインタフェース端子１０ｒには、ＵＳＢケーブルが繋がれる。これにより、データ通信制御部１０ｇがＵＳＢ機器と繋がれる。
【００２９】
ＦＡＸモデム１０ｈは、固定電話網を介してＧ３のプロトコルによって他のファックス端末と通信を行う装置である。
【００３０】
ＡＤＦ１０ｉは、セットされた原稿の用紙を１枚ずつ画像読取部１０ｊへ送り出す装置である。
【００３１】
画像読取部１０ｊは、ＡＤＦ１０ｉから送られてきた用紙または直接セットされた用紙に記されている文書、写真、絵、図表などの画像を読み取って画像データを生成するスキャナである。
【００３２】
給紙部１０ｋは、画像を印刷するための白紙の用紙を画像形成部１０ｍへ送るための装置である。
【００３３】
画像形成部１０ｍは、画像読取部１０ｊによって読み取られた画像または他の装置から受信した画像データに示される画像を、給紙部１０ｋから送られてきた用紙に印刷するプリンタである。
【００３４】
後処理部１０ｎは、画像形成部１０ｍによって画像が印刷された用紙（つまり、印刷物）の仕上げを行うための装置である。後処理部１０ｎは、印刷物をステープルで綴じたり、印刷物にパンチ穴を開けたり、印刷物を３つ折りに折ったりする。
【００３５】
無線通信部１０ｐは、無線通信の規格に基づいて電子ペーパ３と通信を行うための装置である。本実施形態では、電子ペーパ３として、Ｂｌｕｅｔｏｏｔｈを採用する電子ペーパを使用する場合を例に説明する。よって、無線通信部１０ｐとして、Ｂｌｕｅｔｏｏｔｈによる無線通信を行う装置が用いられる。または、画像形成装置１と電子ペーパ３とを、ＵＳＢ（Universal Serial Bus）または無線ＬＡＮなどの既存の他の規格のインタフェースによって接続してもよいし、電子ペーパ専用のインタフェースで接続してもよい。
【００３６】
ＥＥＰＲＯＭ１０ｃまたはハードディスク１０ｄには、図３に示すログイン処理部１０１、電子ペーパスキャン処理部１０２、電子ペーパコピー処理部１０３、サーバ書類印刷処理部１０４、電子ペーパ表示制御部１０５、およびユーザデータベース１０６などを実現するためのプログラムおよびデータが記憶されている。これらのプログラムは、必要に応じてＲＡＭ１０ｂにロードされ、ＣＰＵ１０ａによって実行される。
【００３７】
図３に示す各部の機能の全部または一部を回路などのハードウェアのみによって実現してもよい。
【００３８】
図１に戻って、書類管理サーバ２は、企業Ｘで使用される電子化された書類を一元的に管理する。
【００３９】
書類管理サーバ２は、図４に示すように、ＣＰＵ２０ａ、ＲＡＭ２０ｂ、ＥＥＰＲＯＭ２０ｃ、ハードディスク２０ｄ、ＮＩＣ２０ｅ、そのほか種々の回路などによって構成される。
【００４０】
ＥＥＰＲＯＭ２０ｃまたはハードディスク２０ｄには、図５に示す追記コンテンツ登録処理部２０１、書類リスト提供処理部２０２、画像データ送信処理部２０３、ユーザリスト提供処理部２０４、画像合成処理部２０５、合成画像データ送信処理部２０６、権限回答部２０７、画像データ記憶部２０８、および追記コンテンツデータベース２０９などを実現するためのプログラムおよびデータが記憶されている。これらのプログラムは、必要に応じてＲＡＭ２０ｂにロードされ、ＣＰＵ２０ａによって実行される。
【００４１】
図５に示す各部の機能の全部または一部を回路などのハードウェアのみによって実現してもよい。
【００４２】
図１に戻って、電子ペーパ３は、図６に示すように、全体制御部３０ａ、電源部３０ｂ、無線通信部３０ｃ、表示データメモリ３０ｄ、駆動電極３０ｅ、駆動制御部３０ｆ、液晶層３０ｇ、前面パネル３０ｈ、および操作ボタン３０ｉなどによって構成される。
【００４３】
全体制御部３０ａは、電子ペーパ３の全体的な制御を行う。また、後述するプログラムを実行する。全体制御部３０ａとして、ＣＰＵなどが用いられる。電源部３０ｂは、電子ペーパ３の各部へ電源を供給する。
【００４４】
無線通信部３０ｃは、Ｂｌｕｅｔｏｏｔｈの規格に基づいて画像形成装置１と通信を行う。
【００４５】
表示データメモリ３０ｄには、画像形成装置１から送信されてきた画像データおよび画像の表示に関する情報などが記憶される。さらに、表示データメモリ３０ｄには、電子ペーパ３の所有者であるユーザのユーザＩＤが記憶されている。そのほか、表示データメモリ３０ｄには、図７に示す表示情報通知部３０１、表示画像決定部３０２、表示終了指令部３０３、および所有ユーザ回答部３０４などを実現するためのプログラムおよびデータが記憶されている。図７に示す各部の機能の全部または一部を回路などのハードウェアのみによって実現してもよい。
【００４６】
液晶層３０ｇは、ＲＧＢ（Red Green Blue）各色の液晶分子の層である。液晶層３０ｇの液晶分子は、駆動電極３０ｅによって向きを変えられる。これにより、画像が形成される。
【００４７】
駆動制御部３０ｆは、全体制御部３０ａに指令された通りに画像が形成されるように駆動電極３０ｅを制御する。
【００４８】
前面パネル３０ｈは、電子ペーパ３の前側の表面を覆う透明なフィルムまたはガラス板である。ユーザは、水性のペンで前面パネル３０ｈにメモまたはコメントなどを手書きして書き込むことができる。
【００４９】
操作ボタン３０ｉは、ユーザが電子ペーパ３に対して指令を与えるために用いられる。特に、後述するように、表示倍率の変更、およびスクロールのために用いられる。
【００５０】
なお、本実施形態では、電子ペーパ３として液晶方式の電子ペーパを用いているが、マイクロカプセル方式または電気泳動方式など他の方式の電子ペーパを用いてもよい。
【００５１】
次に、画像形成装置１、書類管理サーバ２、および電子ペーパ３の各部の処理内容などを、順次説明する。
【００５２】
〔オリジナル書類の画像データの準備〕
図５において、画像データ記憶部２０８は、文書、写真、絵、図表などの画像からなる書類を再現するための画像データを記憶する。上に述べたように、ユーザは、電子ペーパ３に表示された書類にメモまたはコメントなどを水性ペンで書き込むことができる。
【００５３】
以下、メモまたはコメントが書き込まれる前の書類を「オリジナル書類」と記載する。また、オリジナル書類に書き込まれたメモまたはコメントなどを「追記コンテンツ」と記載する。また、１つの書類は１ページからなる場合を例に説明する。
【００５４】
オリジナル書類の画像データＤＴ０は、例えば次のようにして生成され、画像データ記憶部２０８に記憶される。
【００５５】
ユーザは、オリジナル書類が記された用紙をスキャンして特定のフォーマット（例えば、ＰＤＦ（Portable Document Format）またはＴＩＦＦ（Tagged Image File Format））の画像データを生成する処理を、画像形成装置１に実行させる。そして、ユーザは、その画像データおよびオリジナル書類を識別するためのオリジナル書類ＩＤを指定し、その画像データを書類管理サーバ２へ転送する処理を画像形成装置１に実行させる。オリジナル書類ＩＤとして、例えば、画像データのファイル名が用いられる。どのような内容のオリジナル書類であるのかがユーザにとって分かりやすいように、オリジナル書類ＩＤを指定するのが望ましい。
【００５６】
または、ユーザは、ワープロソフトまたは描画ソフトなどのアプリケーションでオリジナル書類を作成し、そのオリジナル書類の画像データを書類管理サーバ２へ送信する。その際に、その画像データのオリジナル書類ＩＤを指定しておく。
【００５７】
すると、画像データ記憶部２０８は、画像形成装置１などから送信されてきた画像データを、指定されたオリジナル書類ＩＤと対応付けて、画像データＤＴ０として記憶する。
【００５８】
そのほか、ＣＤ−ＲＯＭに記憶されているデータまたはインターネット上のＷｅｂサーバで公開されているデータなどを画像データＤＴ０として画像データ記憶部２０８に記憶させておいてもよい。
【００５９】
また、ユーザは、オリジナル書類の使用を認める者を指定して、画像データＤＴ０を画像データ記憶部２０８に記憶させることができる。この場合は、画像データＤＴ０を画像データ記憶部２０８に記憶させる際に、ユーザは、使用を認める者のユーザＩＤを指定する。すると、画像データ記憶部２０８は、画像データＤＴ０を、指定されたユーザＩＤを権限有ユーザＩＤとして対応付けて記憶する。
【００６０】
さらに、画像データ記憶部２０８には、追記コンテンツの画像データも記憶される。追記コンテンツの画像データを画像データ記憶部２０８に記憶させる処理については、後述する。
【００６１】
〔ユーザが画像形成装置１にログインするための処理〕
ユーザは、画像形成装置１の使用を開始する前に、画像形成装置１にログインしなければならない。
【００６２】
図３において、画像形成装置１のユーザデータベース１０６には、ユーザごとのユーザＩＤおよびパスワードが予め記憶されている。
【００６３】
ログイン処理部１０１は、画像形成装置１へのユーザのログインの処理を次のように行う。
【００６４】
ユーザがタッチパネル１０ｅなどを操作して所定のコマンドを入力すると、ログイン処理部１０１は、ログイン用の画面をタッチパネル１０ｅに表示させる。ここで、ユーザは、自分のユーザＩＤおよびパスワードを入力する。すると、ログイン処理部１０１は、ユーザデータベース１０６に記憶されている各組のユーザＩＤおよびパスワードと入力されたユーザＩＤおよびパスワードとを照合する。そして、いずれかの組のユーザＩＤおよびパスワードと入力されたユーザＩＤおよびパスワードとが一致したら、画像形成装置１へユーザをログインさせる。これにより、ユーザは、自分に与えられた権限の範囲で、画像形成装置１を使用することができる。以下、画像形成装置１にログインしたユーザを「ログインユーザ」と記載する。
【００６５】
〔電子ペーパ３にオリジナル書類を表示させるための処理〕
図８は電子ペーパ表示制御部１０５の構成の例を示す図、図９は電子ペーパ表示処理の流れの例を説明するフローチャート、図１０はオリジナル書類と電子ペーパ３の表示領域との関係の例を示す図である。
【００６６】
ユーザは、画像形成装置１に画像データＤＴ０が登録されているオリジナル書類を電子ペーパ３で閲覧することができる。オリジナル書類を電子ペーパ３に表示させるための処理は、主に、画像形成装置１の電子ペーパ表示制御部１０５（図３参照）、および、書類管理サーバ２の書類リスト提供処理部２０２および画像データ送信処理部２０３（図５参照）などによって行われる。
【００６７】
ユーザは、予め、電子ペーパ３を、画像形成装置１の近くに、具体的には画像形成装置１との通信が可能な位置に、置いておく。
【００６８】
電子ペーパ表示制御部１０５は、図８に示すように、書類リスト取得部１５１、書類リスト表示部１５２、選択書類受付部１５３、選択書類データ取得部１５４、および画像データ転送処理部１５５などによって構成される。電子ペーパ表示制御部１０５の各部は、図９に示す手順で処理を実行する。なお、図９に示すフローチャートのほか、後に順次説明するフローチャートおよびシーケンス図に示す処理は、ＣＰＵがプログラムを実行することによって実現することができる。
【００６９】
書類リスト取得部１５１は、所定のコマンドがログインユーザによって入力されると、オリジナル書類のリストを、書類管理サーバ２に対して要求し取得する（図９の＃６０１、＃６０２でＹｅｓ）。この際に、書類リスト取得部１５１は、ログインユーザのユーザＩＤを書類管理サーバ２に対して通知する。
【００７０】
すると、書類管理サーバ２の書類リスト提供処理部２０２は、通知されたユーザＩＤが権限有ユーザＩＤとして対応付けられている画像データＤＴ０を画像データ記憶部２０８から検索し、見つかった画像データＤＴ０のオリジナル書類ＩＤを示す書類リストデータ５Ａを画像形成装置１へ送信する。
【００７１】
書類リスト表示部１５２は、書類リストデータ５Ａが受信されると（＃６０２でＹｅｓ）、それに示されるオリジナル書類ＩＤのリストをタッチパネル１０ｅに表示させる（＃６０３）。
【００７２】
ここで、ユーザは、表示されたリストの中から、電子ペーパ３で閲覧したいオリジナル書類のオリジナル書類ＩＤを選択する。
【００７３】
すると（＃６０４でＹｅｓ）、選択書類受付部１５３は、ユーザが選択したオリジナル書類ＩＤを受け付ける。そして、選択書類データ取得部１５４は、選択されたオリジナル書類ＩＤに対応する画像データＤＴ０を、書類管理サーバ２に対して要求し取得する（＃６０５、＃６０６でＹｅｓ）。この際に、選択書類データ取得部１５４は、選択されたオリジナル書類ＩＤを書類管理サーバ２に通知する。
【００７４】
書類管理サーバ２の画像データ送信処理部２０３は、通知されたオリジナル書類ＩＤに対応する画像データＤＴ０を画像データ記憶部２０８から検索し、その画像データＤＴ０を画像形成装置１へ送信する。
【００７５】
画像データ転送処理部１５５は、画像データＤＴ０が受信されると（＃６０６でＹｅｓ）、無線通信によって電子ペーパ３へ転送する（＃６０７）。
【００７６】
そして、電子ペーパ３は、送信されてきた画像データＤＴ０に基づいてオリジナル書類を表示する。この際に、図７に示す表示画像決定部３０２は、ユーザによる操作ボタン３０ｉ（図６参照）の操作に従って、オリジナル書類の中のどの部分をどれくらいのサイズで表示するのかを、決定する。つまり、表示の条件を決定する。駆動制御部３０ｆは、表示画像決定部３０２による決定の結果に従って、オリジナル書類が表示されるように駆動電極３０ｅを制御する。
【００７７】
ここで、表示画像決定部３０２の処理について、詳細に説明する。なお、画像データＤＴ０のオリジナル書類の横方向および縦方向それぞれのドット数を「Ｌｘ」および「Ｌｙ」とする。また、電子ペーパ３の表示領域の横方向および縦方向それぞれのドット数を「Ｄｘ」および「Ｄｙ」とする。
【００７８】
画像データＤＴ０が受信されると、表示画像決定部３０２は、図１０（ａ）に示すように、オリジナル書類の座標（０，０）から横方向にＤｘ画素分および縦方向にＤｙ画素分の領域を、表示倍率を変えずに（つまり、１００％のサイズで）表示することを、デフォルトの表示条件として決定する。
【００７９】
その後、ユーザが縦方向および横方向にそれぞれにＭｘドットおよびＭｙドット分スクロールする操作を行うと、表示画像決定部３０２は、図１０（ｂ）に示すように、座標（Ｍｘ，Ｍｙ）から横方向にＤｘ画素分および縦方向にＤｙ画素分の領域を１００％のサイズで表示することを、新たな表示条件として決定する。
【００８０】
さらにその後に、ユーザが表示倍率としてＰ％を指定すると、表示画像決定部３０２は、座標（Ｍｘ，Ｍｙ）から横方向に（Ｄｘ×１００／Ｐ）画素分および縦方向に（Ｄｙ×１００／Ｐ）画素分の領域をＰ％のサイズで表示することを、新たな表示条件として決定する。
【００８１】
〔追記コンテンツの登録の処理〕
図１１は電子ペーパスキャン処理部１０２の構成の例を示す図、図１２は追記コンテンツの登録の際の各装置の処理の手順の例を説明するシーケンス図、図１３は追記コンテンツおよび表示条件データ５Ｂの例を示す図である。
【００８２】
ユーザは、電子ペーパ３に表示されたオリジナル書類にメモまたはコメントなどを水性ペンで書き込むことができる。そして、書き込んだメモまたはコメントを追記コンテンツとして書類管理サーバ２に登録することができる。
【００８３】
書類管理サーバ２への追記コンテンツの登録に関する処理は、主に、画像形成装置１の電子ペーパスキャン処理部１０２（図３参照）、書類管理サーバ２の追記コンテンツ登録処理部２０１（図５参照）、および電子ペーパ３の表示終了指令部３０３などによって行われる。
【００８４】
電子ペーパスキャン処理部１０２は、図１１に示すように、スキャン準備依頼処理部１２１、表示情報取得部１２２、表示オフ通知取得部１２３、追記コンテンツ取得部１２４、追記コンテンツ送信部１２５、および表示情報送信部１２６などによって構成される。各装置は、図１２に示す手順で処理を実行する。
【００８５】
ユーザは、画像形成装置１にログインした後（図１２の＃７０１）、所定の操作を行って電子ペーパのスキャンモードに切り換えるとともに、電子ペーパ３を画像読取部１０ｊにセットする。そして、スタートキーを押す（＃７０２）。
【００８６】
すると、スキャン準備依頼処理部１２１は、所定のコマンドを電子ペーパ３へ送信することによって、スキャンの準備を行うように電子ペーパ３に対して依頼する（＃７０３）。
【００８７】
電子ペーパ３において、画像形成装置１からのコマンドが受信されると（＃７１１）、表示情報通知部３０１は、現在表示しているオリジナル書類の表示条件およびオリジナル書類ＩＤを画像形成装置１へ通知する。表示終了指令部３０３は、オリジナル書類の表示を終了するように駆動制御部３０ｆ（図６参照）に指令し、オリジナル書類の表示を終了させる（＃７１２）。つまり、オリジナル書類を非表示にする。そして、表示が終了すると（＃７１３）、その旨を画像形成装置１へ通知する（＃７１４）。
【００８８】
画像形成装置１において、表示情報取得部１２２および表示オフ通知取得部１２３は、それぞれ、電子ペーパ３から発信された表示条件およびオリジナル書類の表示の終了の通知を取得する（＃７０４、＃７０５）。
【００８９】
すると、追記コンテンツ取得部１２４は、画像読取部１０ｊにセットされている電子ペーパ３をスキャンして追記コンテンツの画像データを取得するように、画像読取部１０ｊを制御する（＃７０６）。これにより、オリジナル書類が含まれない、追記コンテンツだけの画像データが、生成される。以下、この画像データを「画像データＤＴ１」と記載する。画像データＤＴ１には、他の画像データと区別するためのユニークな画像ＩＤが付される。
【００９０】
そして、表示情報送信部１２６は、通知された表示条件を示す表示条件データ５Ｂを、通知されたオリジナル書類ＩＤと対応付けて、書類管理サーバ２へ送信する（＃７０８）。また、追記コンテンツ送信部１２５は、生成された画像データＤＴ１を、通知されたオリジナル書類ＩＤおよびログインユーザのユーザＩＤと対応付けて、書類管理サーバ２へ送信する（＃７０９）。
【００９１】
書類管理サーバ２において、画像形成装置１から表示条件データ５Ｂおよび画像データＤＴ１が送信されてくると（＃７２１、＃７２２）、これらを登録（保存）するための処理を次のように行う（＃７２３）。
【００９２】
追記コンテンツ登録処理部２０１は、表示条件データ５Ｂおよび画像データＤＴ１に共通の、ユニークなＩＤを発行する。画像データＤＴ１は、後述するように、オリジナル書類に重ね合わせる、いわゆるレイヤ画像として用いられる。そこで、以下、このＩＤを「レイヤＩＤ」と記載する。
【００９３】
そして、追記コンテンツ登録処理部２０１は、画像データＤＴ１を、オリジナル書類ＩＤおよびユーザＩＤと対応付けたたまま、さらに、発行したレイヤＩＤをも対応付けて、画像データ記憶部２０８に記憶させる。また、表示条件データ５Ｂを、オリジナル書類ＩＤを対応付けたたまま、さらに、発行したレイヤＩＤをも対応付けて、追記コンテンツデータベース２０９に記憶させる。
【００９４】
例えば、オリジナル書類の座標（Ｍｘａ，Ｍｙａ）から横方向に（Ｄｘ／２）画素分および縦方向に（Ｄｙ／２）画素分の領域を２００％のサイズで表示している電子ペーパ３について上述の処理を実行した場合は、画像データＤＴ１および表示条件データ５Ｂとして、図１３（ａ）に示すような画像データＤＴ１ａおよび表示条件データ５Ｂａが得られる。
【００９５】
または、オリジナル書類の座標（Ｍｘｂ，Ｍｙｂ）から横方向に（Ｄｘ／１．５）画素分および縦方向に（Ｄｙ／１．５）画素分の領域を１５０％のサイズで表示している電子ペーパ３について上述の処理を実行した場合は、画像データＤＴ１および表示条件データ５Ｂとして、図１３（ｂ）に示すような画像データＤＴ１ｂおよび表示条件データ５Ｂｂが得られる。
【００９６】
〔オリジナル書類に追記コンテンツを重ね合わせて用紙にコピーする処理〕
図１４はサーバ書類印刷処理部１０４の構成の例を示す図、図１５は合成画像を印刷する際の各装置の処理の手順の例を説明するシーケンス図、図１６は合成画像の例を示す図である。
【００９７】
ユーザは、オリジナル書類を、各ユーザによる追記コンテンツを重ね合わせて用紙に印刷させることができる。
【００９８】
オリジナル書類に追記コンテンツを重ね合わせて印刷する処理は、主に、画像形成装置１の電子ペーパコピー処理部１０３（図３参照）のほか、書類管理サーバ２の書類リスト提供処理部２０２、画像データ送信処理部２０３、ユーザリスト提供処理部２０４、および画像合成処理部２０５などによって、行われる。
【００９９】
サーバ書類印刷処理部１０４は、図１４に示すように、書類リスト取得部１４１、書類リスト表示部１４２、書類選択受付部１４３、グループユーザリスト取得部１４４、ユーザリスト表示部１４５、ユーザ選択受付部１４６、選択ユーザ通知部１４７、合成画像データ取得部１４８、および合成画像印刷処理部１４９などによって構成される。各装置は、図１５に示す手順で処理を実行する。
【０１００】
ユーザは、画像形成装置１にログインした後（図１５の＃７５１）、所定のコマンドを入力する。すると、書類リスト取得部１４１は、書類管理サーバ２に対してオリジナル書類のリストを要求する（＃７５２）。この際に、ログインしたユーザ（つまり、ログインユーザ）のユーザＩＤを書類管理サーバ２へ通知する。
【０１０１】
書類管理サーバ２において、画像形成装置１からの要求が受け付けられると（＃７７１）、書類リスト提供処理部２０２は、通知されたユーザＩＤが権限有ユーザＩＤとして対応付けられている画像データＤＴ０を画像データ記憶部２０８から検索する。そして、見つかった画像データＤＴ０のオリジナル書類ＩＤを示す書類リストデータ５Ｃを生成し（＃７７２）、画像形成装置１へ送信する（＃７７３）。
【０１０２】
画像形成装置１において、書類リスト取得部１４１が書類リストデータ５Ｃを取得すると、書類リスト表示部１４２は、書類リストデータ５Ｃに示されるオリジナル書類ＩＤのリストをタッチパネル１０ｅに表示させる（＃７５３）。
【０１０３】
ここで、ユーザは、印刷したいオリジナル書類のオリジナル書類ＩＤを選択する。書類選択受付部１４３が、選択されたオリジナル書類ＩＤを受け付けると（＃７５４）、グループユーザリスト取得部１４４は、そのオリジナル書類ＩＤに係るオリジナル書類に追記コンテンツを書き込んだユーザのリストを書類管理サーバ２に対して要求する（＃７５５）。この際に、選択されたオリジナル書類ＩＤを書類管理サーバ２へ通知する。
【０１０４】
書類管理サーバ２において、ユーザリスト提供処理部２０４は、通知されたオリジナル書類ＩＤが対応付けられている画像データＤＴ１を検索し、見つかった画像データＤＴ１それぞれに対応付けられているユーザＩＤを示すユーザリストデータ５Ｄを生成し（＃７７５）、画像形成装置１へ送信する（＃７７６）。
【０１０５】
画像形成装置１において、グループユーザリスト取得部１４４がユーザリストデータ５Ｄを取得すると、ユーザリスト表示部１４５は、ユーザリストデータ５Ｄに示されるユーザＩＤのリストをタッチパネル１０ｅに表示させる（＃７５６）。
【０１０６】
ここで、ユーザは、オリジナル書類に重ね合わせたい追記コンテンツを書き込んだユーザのユーザＩＤを選択する。ユーザは、ユーザＩＤを複数選択することができる。ユーザ選択受付部１４６が、選択されたユーザＩＤを受け付けると（＃７５７）、選択ユーザ通知部１４７は、選択されたユーザＩＤを画像形成装置１へ通知する（＃７５８）。
【０１０７】
書類管理サーバ２において、画像合成処理部２０５は、オリジナル書類に追記コンテンツを合成する処理を、次のように行う（＃７７８）。
【０１０８】
画像合成処理部２０５は、ステップ＃７７４で受け付けたオリジナル書類ＩＤに対応する画像データＤＴ０と、ステップ＃７５８で受け付けたユーザＩＤに対応する画像データＤＴ１とを、画像データ記憶部２０８から読み出す。さらに、読み出した画像データＤＴ１のレイヤＩＤに対応付けられている表示条件データ５Ｂを追記コンテンツデータベース２０９から読み出す。
【０１０９】
画像合成処理部２０５は、読み出した画像データＤＴ０によって再現されるオリジナル書類に、読み出した画像データＤＴ１によって再現される追記コンテンツを重ねる。ただし、表示条件データ５Ｂに示される倍率に追記コンテンツを拡大し、表示条件データ５Ｂに示される位置に重ね合わせる。複数組の画像データＤＴ１および表示条件データ５Ｂを読み出した場合は、それぞれによって再現される追記コンテンツを順次重ね合わせる。
【０１１０】
このようにして、オリジナル書類に追記コンテンツが重ね合わされる。以下、追記コンテンツが重ね合わされたオリジナル書類を「合成画像」と記載する。
【０１１１】
合成画像データ送信処理部２０６は、画像合成処理部２０５によって生成された合成画像の画像データである合成画像データＤＴ２を画像形成装置１へ送信する（＃７７９）。
【０１１２】
画像形成装置１において、合成画像データ取得部１４８は、書類管理サーバ２から送信されてきた合成画像データＤＴ２を取得する（＃７５９）。そして、合成画像印刷処理部１４９は、取得された合成画像データＤＴ２に基づいて、用紙に合成画像を印刷する処理を実行する（＃７６０）。
【０１１３】
上述の処理によると、図１０（ａ）に示すオリジナル書類に、図１３（ａ）に示す追記コンテンツおよび図１３（ｂ）に示す追記コンテンツを重ね合わせることによって、図１６に示す合成画像が生成される。
【０１１４】
なお、上述の例では、追記コンテンツの位置およびサイズの調整は、オリジナル書類に重ね合わせる際に画像合成処理部２０５が行ったが、前もって追記コンテンツ登録処理部２０１が調整を行っておいてもよい。つまり、調整を行った後で追記コンテンツの画像データＤＴ１を画像データ記憶部２０８に登録しておくようにしてもよい。
【０１１５】
〔電子ペーパに表示されている書類を用紙にコピーする処理〕
図１７は電子ペーパコピー処理部１０３の構成の例を示す図、図１８は電子ペーパコピー処理の流れの例を説明するフローチャートである。
【０１１６】
ユーザは、電子ペーパ３に表示されているオリジナル書類を用紙にコピーさせることができる。
【０１１７】
コピーのための処理は、主に、画像形成装置１の電子ペーパコピー処理部１０３（図３参照）、書類管理サーバ２の権限回答部２０７（図５参照）、および電子ペーパ３の表示終了指令部３０３および所有ユーザ回答部３０４（図７参照）などによって実行される。
【０１１８】
電子ペーパコピー処理部１０３は、図１７に示すように、所有ユーザ名問合せ処理部１３１、権限問合せ部１３２、コピー許否判別部１３３、表示オフ依頼処理部１３４、およびコピー処理部１３５などによって構成される。電子ペーパコピー処理部１０３の各部は、図１８に示す手順で処理を実行する。
【０１１９】
ユーザは、画像形成装置１にログインした後、電子ペーパ３にオリジナル書類を表示させる。表示方法は、前に図９などで説明した通りである。そして、オリジナル書類が表示された電子ペーパ３を画像読取部１０ｊにセットし、スタートキーを押す。
【０１２０】
すると、所有ユーザ名問合せ処理部１３１は、電子ペーパ３の所有者のユーザＩＤおよび現在表示されているオリジナル書類のオリジナル書類ＩＤを電子ペーパ３に対して問い合わせる（図１８の＃６２１）。
【０１２１】
電子ペーパ３の所有ユーザ回答部３０４は、画像形成装置１からの問合せを受け付けると、表示データメモリ３０ｄ（図６参照）に記憶されているユーザＩＤを画像形成装置１に対して回答する。
【０１２２】
権限問合せ部１３２は、現在表示されているオリジナル書類を使用できるユーザのユーザＩＤ（つまり、権限有ユーザＩＤ）を書類管理サーバ２に対して問い合わせる（＃６２２）。この際に、ステップ＃６２１で得たオリジナル書類ＩＤを書類管理サーバ２に対して通知する。
【０１２３】
書類管理サーバ２の権限回答部２０７は、通知されたオリジナル書類ＩＤの画像データＤＴ０に対応付けられている権限有ユーザＩＤを画像形成装置１に対して回答する。
【０１２４】
画像形成装置１において、コピー許否判別部１３３は、電子ペーパ３から回答されたユーザＩＤとログインユーザのユーザＩＤとが一致し（＃６２３でＹｅｓ）、かつ、書類管理サーバ２から回答された権限有ユーザＩＤにログインユーザのユーザＩＤが含まれていれば（＃６２４でＹｅｓ）、オリジナル書類のコピーを許可する。そして、コピー処理部１３５は、オリジナル書類が表示されたままの状態で画像形成部１０ｍにコピー（スキャンおよび印刷）を実行させる。
【０１２５】
一方、コピー許否判別部１３３は、電子ペーパ３から回答されたユーザＩＤとログインユーザのユーザＩＤとが一致せず（＃６２３でＮｏ）、または、書類管理サーバ２から回答された権限有ユーザＩＤにログインユーザのユーザＩＤが含まれていなければ（＃６２４でＮｏ）、オリジナル書類のコピーを拒否する。そこで、表示オフ依頼処理部１３４は、オリジナル書類の表示を終了するように電子ペーパ３に対して依頼する（＃６２５）。
【０１２６】
すると、電子ペーパ３において、表示終了指令部３０３は、書類の表示を終了するように駆動制御部３０ｆ（図６参照）に指令し、書類の表示を終了させる。そして、表示が終了すると、その旨を画像形成装置１へ通知する。
【０１２７】
画像形成装置１において、コピー処理部１３５は、電子ペーパ３からの通知を受け付けると（＃６２６でＹｅｓ）、電子ペーパ３のコピーを画像形成部１０ｍに実行させる。電子ペーパ３にはオリジナル書類が表示されていないので、オリジナル書類が用紙にコピーされることはない。
【０１２８】
以上、オリジナル書類をコピーする場合を例に説明したが、合成画像をコピーする場合も、同様の処理が行われる。この場合は、画像形成装置１は、合成画像の基になったオリジナル書類について、書類管理サーバ２に対して問合せを行えばよい。
【０１２９】
図１９および図２０は画像形成装置１の全体的な処理の流れの例を説明するフローチャート、図２１はサーバ書類印刷処理の流れの例を説明するフローチャート、図２２および図２３は書類管理サーバ２の全体的な処理の流れの例を説明するフローチャート、図２４は電子ペーパ３の全体的な処理の流れの例を説明するフローチャートである。
【０１３０】
次に、画像形成装置１、書類管理サーバ２、および電子ペーパ３の全体的な処理の手順を、図１９〜図２４のフローチャートを参照しながら説明する。
【０１３１】
画像形成装置１は、ユーザがログインしてからログアウトするまでの間、ユーザの操作に応じて適宜、次のように処理を実行する。
【０１３２】
図１９および図２０において、画像形成装置１は、電子ペーパがセットされ（＃１１でＹｅｓ）、電子ペーパ３へのオリジナル書類の表示の指令を受け付けると（＃１２でＮｏ、＃２１でＮｏ、＃２３でＮｏ、＃２５でＹｅｓ）、オリジナル書類を電子ペーパ３へ表示するための処理を実行する（＃２６）。この処理の手順は、前に図９で説明した通りである。ログインしたユーザ（ログインユーザ）は、水性ペンで電子ペーパ３に手書きで追記コンテンツを書き込むことができる。
【０１３３】
または、画像形成装置１は、電子ペーパがセットされ（＃１１でＹｅｓ）、スキャンモードが指定され（＃１２でＹｅｓ）、かつ追記コンテンツの保存が指令されると（＃１３でＹｅｓ）、スキャンの準備を行うように電子ペーパ３に対して依頼する（＃１４）。
【０１３４】
画像形成装置１は、電子ペーパ３に表示されているオリジナル書類の表示条件を受信し（＃１５でＹｅｓ）、オリジナル書類の表示の終了の通知を受信すると（＃１６でＹｅｓ）、電子ペーパ３をスキャンする（＃１７）。これにより、追記コンテンツの画像データつまり画像データＤＴ１が得られる。
【０１３５】
そして、画像形成装置１は、レイヤＩＤを発行し、電子ペーパ３から受信した表示条件を示す表示条件データ５Ｂを生成し（＃１８）、表示条件データ５Ｂおよび画像データＤＴ１を、レイヤＩＤを対応付けるなどして書類管理サーバ２へ送信する（＃１９、＃２０）。
【０１３６】
または、画像形成装置１は、電子ペーパがセットされ（＃１１でＹｅｓ）、書類管理サーバ２に保存されているオリジナル書類および追記コンテンツの印刷の指令を受け付けると（＃１２でＮｏ、＃２１でＮｏ、＃２３でＹｅｓ）、オリジナル書類に追記コンテンツを重ね合わせて印刷する処理を行う（＃２４）。この処理の手順は、図２１に示す通りである。
【０１３７】
図２１において、画像形成装置１は、書類管理サーバ２に対してオリジナル書類のリストを要求し（＃６３１）、書類リストデータ５Ｃを受信すると（＃６３２でＹｅｓ）、ログインユーザに対してリストを表示する（＃６３３）。
【０１３８】
ログインユーザによってオリジナル書類が選択されると（＃６３４でＹｅｓ）、画像形成装置１は、選択されたオリジナル書類のオリジナル書類ＩＤを書類管理サーバ２に対して通知する（＃６３５）。
【０１３９】
画像形成装置１は、選択されたオリジナル書類に書込みを行ったユーザが記載されたユーザリストデータ５Ｄを書類管理サーバ２から受信すると（＃６３６でＹｅｓ、＃６３７でＹｅｓ）、ユーザのリストをログインユーザに対して表示する（＃６３８）。
【０１４０】
書込みを行ったいずれかのユーザが選択されると（＃６３９でＹｅｓ）、画像形成装置１は、選択されたユーザを書類管理サーバ２に対して通知する（＃６４０）。
【０１４１】
そして、画像形成装置１は、選択されたユーザが書き込んだ追記コンテンツがオリジナル書類に重ね合わされた合成画像の合成画像データＤＴ２を書類管理サーバ２から受信すると（＃６４１でＹｅｓ）、合成画像を用紙に印刷する（＃６４２）。
【０１４２】
図１９および図２０に戻って、画像形成装置１は、電子ペーパがセットされ（＃１１でＹｅｓ）、電子ペーパ３のコピーの指令を受け付けると（＃１２でＮｏ、＃２１でＹｅｓ）、電子ペーパに表示されている書類を用紙にコピーする処理を実行する（＃２２）。この処理の手順は、前に図１８で説明した通りである。
【０１４３】
または、画像形成装置１は、電子ペーパ３がセットされない場合は（＃１１でＮｏ）、ユーザの操作に応じて通常の処理を実行する（＃２７）。
【０１４４】
書類管理サーバ２は、画像形成装置１からの指令などに応じて適宜、次のように処理を実行する。
【０１４５】
図２２および図２３において、書類管理サーバ２は、画像形成装置１から表示条件データ５Ｂを受信すると（＃３１でＹｅｓ）、それを追記コンテンツデータベース２０９によって記憶する（＃３２）。さらに、表示条件データ５Ｂのペアである画像データＤＴ１を受信すると（＃３３でＹｅｓ）、それを画像データ記憶部２０８によって記憶する（＃３６）。この際に、表示条件データ５Ｂに示される表示条件に応じて、追記コンテンツの位置およびサイズが調整されるように画像データＤＴ１を更新してもよい（＃３４、＃３５）。また、画像形成装置１は、画像データＤＴ１および表示条件データ５Ｂを、共通のレイヤＩＤを付して記憶する（＃３７）。
【０１４６】
または、書類管理サーバ２は、画像形成装置１から、書類リストの要求を、ユーザＩＤの通知とともに受け付けると（＃３８でＹｅｓ）、そのユーザＩＤに対応付けられている画像データＤＴ０のオリジナル書類ＩＤのリストを生成し（＃３９）、画像形成装置１へ送信する（＃４０）。
【０１４７】
または、書類管理サーバ２は、オリジナル書類ＩＤの通知を画像形成装置１から受け付けると（＃４１でＹｅｓ）、そのオリジナル書類ＩＤのオリジナル書類に追記コンテンツを書き込んだユーザのユーザＩＤを示すユーザリストデータ５Ｄを生成し（＃４２）、それを画像形成装置１へ送信する（＃４３）。
【０１４８】
書類管理サーバ２は、ユーザＩＤの指定を画像形成装置１から受け付けると（＃４４でＹｅｓ）、ステップ＃４１で受け付けたオリジナル書類ＩＤのオリジナル書類に、受け付けたユーザＩＤのユーザがそのオリジナル書類に書き込んだ追記コンテンツを重ね合わせることによって、合成画像の合成画像データＤＴ２を生成する（＃４７）。
【０１４９】
そして、画像形成装置１は、生成した合成画像データＤＴ２を画像形成装置１へ送信する（＃４８）。なお、合成画像データＤＴ２の生成および送信は、画像形成装置１から要求があった後に（＃４６でＹｅｓ）行うようにしてもよい。
【０１５０】
電子ペーパ３は、画像形成装置１からの指令などに応じて適宜、次のように処理を実行する。
【０１５１】
図２４において、電子ペーパ３は、スキャンの準備の指令を画像形成装置１から受け付けると（＃６１でＹｅｓ）、現在表示しているオリジナル書類の表示条件を画像形成装置１へ送信する（＃６２）。そして、オリジナル書類の表示を終了し（＃６４）、終了した旨を画像形成装置１へ通知する（＃６５）。
【０１５２】
または、電子ペーパ３は、表示の終了の指令を画像形成装置１から受け付けると（＃６３でＹｅｓ）、オリジナル書類の表示を終了し（＃６４）、終了した旨を画像形成装置１へ通知する（＃６５）。
【０１５３】
または、電子ペーパ３は、画像データＤＴ０を画像形成装置１から受信すると（＃６６でＹｅｓ）、デフォルトの形態でオリジナル書類を表示する（＃６７）。その後、ユーザが表示に関する操作を行うごとに（＃６８でＹｅｓ）、操作の内容に応じて位置および大きさを変更してオリジナル書類を表示する（＃６９）。
【０１５４】
本実施形態によると、電子ペーパ３に書き込まれた追記コンテンツの画像データＤＴ１の使用の利便性を従来よりも向上させることができる。
【０１５５】
図２５は追記コンテンツに関するデータのテーブルの例を示す図である。本実施形態では、１つのオリジナル書類に１つのページだけが含まれる場合を例に説明したが、複数のページが含まれる場合にも、本発明を適用することができる。この場合は、１つのページの画像に対して、本実施形態におけるオリジナル書類に対する処理と同様の処理を行えばよい。ただし、１つのオリジナル書類に含まれる各ページのデータは、図２５に示すような、そのオリジナル書類用のテーブルによって管理すればよい。
【０１５６】
本実施形態では、ユーザによって選択された追記コンテンツを、オリジナル書類に重ね合せて印刷したが、追記コンテンツのみを印刷するようにしてもよい。
【０１５７】
本実施形態では、オリジナル書類の権限を１種類のみ用意したが、複数用意してもよい。例えば、閲覧する権限および印刷する権限の２種類を用意してもよい。そして、画像形成装置１は、閲覧する権限を有するユーザが指令した場合にのみ電子ペーパ３にオリジナル書類を表示し、印刷する権限を有するユーザが指令した場合にのみ用紙にオリジナル書類を印刷するようにしてもよい。
【０１５８】
または、画像形成装置１は、オリジナル書類に重ね合わせる追記コンテンツを、指令を行ったユーザと同じグループに所属する他のユーザが書き込んだ追記コンテンツおよび自分自身が書き込んだ追記コンテンツに限定してもよい。グループ分けの方法は、様々である。例えば、オリジナル書類について同一の種類の権限を有するユーザ同士を１つのグループに所属させてもよいし、同じ部署に属するユーザ同士を１つのグループに所属させてもよい。
【０１５９】
その他、ネットワークシステムＮＳ、画像形成装置１、書類管理サーバ２、電子ペーパ３の全体または各部の構成、処理内容、処理順序、データの構成などは、本発明の趣旨に沿って適宜変更することができる。
【符号の説明】
【０１６０】
ＮＳ  ネットワークシステム（画像データ管理システム）
１  画像形成装置（画像処理装置）
２  書類管理サーバ（記憶手段）
３  電子ペーパ
１２１  スキャン準備依頼処理部（表示終了制御手段）
１２２  表示情報取得部（表示状況データ取得手段）
１２４  追記コンテンツ取得部（書込画像データ取得手段）
５Ｂ  表示条件データ（表示状況データ）
ＤＴ０  画像データ（表示画像データ）
ＤＴ１  画像データ（書込画像データ）
【図１】
2011066859.tif 000003
【図２】
2011066859.tif 000004
【図３】
2011066859.tif 000005
【図４】
2011066859.tif 000006
【図５】
2011066859.tif 000007
【図６】
2011066859.tif 000008
【図７】
2011066859.tif 000009
【図８】
2011066859.tif 000010
【図９】
2011066859.tif 000011
【図１０】
2011066859.tif 000012
【図１１】
2011066859.tif 000013
【図１２】
2011066859.tif 000014
【図１３】
2011066859.tif 000015
【図１４】
2011066859.tif 000016
【図１５】
2011066859.tif 000017
【図１６】
2011066859.tif 000018
【図１７】
2011066859.tif 000019
【図１８】
2011066859.tif 000020
【図１９】
2011066859.tif 000021
【図２０】
2011066859.tif 000022
【図２１】
2011066859.tif 000023
【図２２】
2011066859.tif 000024
【図２３】
2011066859.tif 000025
【図２４】
2011066859.tif 000026
【図２５】
2011066859.tif 000027
【手続補正書】
【提出日】平成22年8月10日(2010.8.10)
【手続補正１】
【補正対象書類名】特許請求の範囲
【補正対象項目名】請求項４
【補正方法】変更
【補正の内容】
【請求項４】
前記表示状況データ取得手段は、前記表示状況データとして、前記電子ペーパに表示された前記表示画像の拡大率を示すデータを取得し、
前記合成画像生成手段は、前記書込画像を、前記拡大率の逆数倍にサイズを調整して前記表示画像に重ね合わせることによって、前記合成画像を生成する、
請求項２または請求項３記載の画像処理装置。